(57)【要約】【課題】綴じる用紙の枚数の違いに単一の部品で対応できるようにしたバインダーを提供する。【解決手段】用紙に形成された綴じ穴に挿入されて、複数枚の用紙を綴じるリング部３Ａと、リング部３Ａとは独立した部材で構成され、複数のリング部３Ａが取り付けられる背部２Ａを備える。リング部３Ａは、背部２Ａに取り付けられる係合穴部６Ａを、リング部３Ａの長さ方向に並べて複数備え、用紙の枚数に応じてカットされて使用される。背部２Ａは、ループ状としたリング部３Ａの一端側と他端側の係合穴部６Ａが取り付けられる係合突起５Ａを、用紙の綴じ穴の配置に応じて備える。【選択図】        図１
2006315257.tif 000002
【特許請求の範囲】
【請求項１】
用紙に形成された綴じ穴に挿入されて、複数枚の前記用紙を綴じるリング部と、
前記リング部と独立した部材で構成され、複数の前記リング部が取り付けられる背部を備え、
前記リング部は、前記背部に取り付けられるリング係合部を、前記リング部の長さ方向に並べて複数備え、
前記背部は、ループ状とした前記リング部の一端側と他端側の前記リング係合部が取り付けられる背部係合部を、前記用紙の前記綴じ穴の配置に応じて備えた
ことを特徴とするバインダー。
【請求項２】
前記リング係合部と前記背部係合部は、一方は凸状に突出した係合突起として構成され、他方は前記係合突起が嵌る凹状の係合穴部として構成された
ことを特徴とする請求項１記載のバインダー。
【請求項３】
前記背部係合部は２列に配置され、ループ状とした前記リング部の一端側の前記リング係合部が一方の背部係合部に取り付けられ、他端側の前記リング係合部が他方の背部係合部に取り付けられて、前記リング部が前記背部に取り付けられる
ことを特徴とする請求項１または２記載のバインダー。
【請求項４】
前記背部係合部は、凸状に突出した係合突起として構成され、前記リング係合部は、前記係合突起に嵌る凹状の係合穴部として構成されて、前記リング部をループ状として重ねられた前記リング部の一端側の前記係合穴部と他端側の前記係合穴部が前記係合突起に嵌められて、前記リング部が前記背部に取り付けられる
ことを特徴とする請求項１記載のバインダー。
【請求項５】
前記リング部は、綴じる用紙の枚数に応じた長さでカットされ、ループ状とした前記リング部の一端側と他端側の前記リング係合部が前記背部係合部に取り付けられて、前記リング部が前記背部に取り付けられる
ことを特徴とする請求項１，２，３または４記載のバインダー。
【発明の詳細な説明】
【技術分野】
【０００１】
本発明は、綴じ穴が形成された複数枚の用紙を綴じるバインダーに関する。詳しくは、用紙を綴じるリング部のループ径を可変とすることで、形成される冊子の厚みによらず、最適な形態で用紙を綴じることができるようにしたものである。
【背景技術】
【０００２】
綴じ穴が形成された複数枚の用紙を綴じるバインダーは、用紙の綴じ穴に挿入されるリング状の部材と、綴じ穴の配置に合わせて複数のリング状部材を支持する背部とを備える。
【０００３】
従来は、リング状部材と背部が独立した部品で構成されたバインダーが提案されている（例えば、特許文献１参照）。また、リング状部材と背部が一体の部品で構成されたバインダーが提案されている（例えば、特許文献２参照）。
【０００４】
【特許文献１】実用新案登録第３００８２９１号公報
【特許文献２】特開平７−９７８９号公報
【発明の開示】
【発明が解決しようとする課題】
【０００５】
通常、バインダーにおいては、綴じる用紙の枚数が少ない場合は、リング状部材の径は小さく、用紙の枚数が多い場合は、リング状部材の径は大きくする必要がある。
【０００６】
このため、従来のバインダーでは、綴じる用紙の枚数に応じて、複数種類の部品を用意する必要があるという問題があった。すなわち、リング状部材と背部が独立した部品で構成されたバインダーでは、径の異なるリング状部材を複数種類用意する必要があった。また、リング状部材と背部が一体の部品で構成されたバインダーでは、リング状部材の径が異なる複数種類のバインダー全体を用意する必要があった。
【０００７】
これにより、複数種類の部品を製造することによる製造コストの上昇や、複数種類の部品を常時在庫させておき、管理ことによる管理コストの上昇という問題も生じる。
【０００８】
本発明は、このような課題を解決するためになされたもので、綴じる用紙の枚数の違いに単一の部品で対応できるようにしたバインダーを提供することを目的とする。
【課題を解決するための手段】
【０００９】
上述した課題を解決するため、本発明に係るバインダーは、用紙に形成された綴じ穴に挿入されて、複数枚の用紙を綴じるリング部と、リング部と独立した部材で構成され、複数のリング部が取り付けられる背部を備え、リング部は、背部に取り付けられるリング係合部を、リング部の長さ方向に並べて複数備え、背部は、ループ状としたリング部の一端側と他端側のリング係合部が取り付けられる背部係合部を、用紙の綴じ穴の配置に応じて備えたことを特徴とする。
【００１０】
本発明のバインダーでは、リング部は、綴じる用紙の枚数に応じて所望の長さにカットされる。例えば、綴じる用紙の枚数が少ない場合はリング部は短くカットされ、綴じる用紙の枚数が多い場合は長くカットされる。
【００１１】
リング部は、複数のリング係合部がリング部の長さ方向に並べて形成されており、リング部をカットする長さによらず、一端側と他端側の双方にリング係合部が位置する形態となる。
【００１２】
これにより、用紙の綴じ穴に挿入され、ループ状としたリング部の一端側のリング係合部と他端側のリング係合部を背部の背部係合部に取り付けることで、背部に固定されてループ状となったリング部によって、複数枚の用紙が綴じられる。
【００１３】
そして、リング部は、綴じる用紙の枚数に応じてカットされることで、一種類のリング部で、用紙の枚数が少ない場合はループ径の小さいリング部が形成され、用紙の枚数が多いときはループ径の大きいリング部が形成される。
【発明の効果】
【００１４】
本発明のバインダーによれば、任意の長さにカットされたリング部をループ状にして背部に取り付け、複数枚の用紙を綴じて冊子を構成することができるので、１種類のリング部を用意すれば、冊子の厚みに応じたループ径を持つリング部を構成できる。これにより、冊子の厚みに応じて複数種類の部品を用意する必要が無くなる。
【発明を実施するための最良の形態】
【００１５】
以下、図面を参照して本発明のバインダーの実施の形態について説明する。
【００１６】
＜第１の実施の形態のバインダーの構成例＞
図１は第１の実施の形態のバインダー１Ａを組み立てた状態の一例を示す斜視図、図２は第１の実施の形態のバインダー１Ａの使用状態の一例を示す平面図、図３は第１の実施の形態のバインダー１Ａの使用前の状態の一例を示す分解構成図である。
【００１７】
第１の実施の形態のバインダー１Ａは、背部２Ａとリング部３Ａを備える。背部２Ａは、幅の狭い薄板状の部材で、綴じる対象の用紙４の長さに応じた長さを有し、所定の間隔を開けて長さ方向に一列に並んだ複数の係合突起５Ａを備える。背部２Ａは、可撓性を有して弾性変形可能な例えば樹脂で構成されて、係合突起５Ａが一体に形成される。
【００１８】
係合突起５Ａは背部係合部の一例で、用紙４に形成された綴じ穴４ａの間隔に合わせて配置され、係合突起５Ａの横断面形状は、リング部３Ａに形成された係合穴部６Ａの形状に合わせた例えば円形状である。また、係合突起５Ａは、リング部３Ａの抜け止めとなる係止部５ｈを備える。
【００１９】
係止部５ｈは、図３（ａ）に示すように、係合突起５Ａの先端側の縦断面形状を例えば三角形状とし、係合突起５Ａの先端側の外周から一部が突出して、リング部３Ａの係合穴部６Ａに引っ掛かる形状に構成される。また、係合突起５Ａは、係止部５ｈの先端部分をテーパ状として導入部５ｉが形成される。
【００２０】
係合突起５Ａは、係止部５ｈの形成位置の下端から背部２Ａまでの間がリング部３Ａが嵌る部分となるが、係合突起５Ａにおいて、リング部３Ａが嵌る部分の高さは、リング部３Ａの厚さの２倍程度と略同等、もしくは若干大きく構成される。
【００２１】
リング部３Ａは、図２（ａ）に示すように、用紙４の綴じ穴４ａに入る幅を有する薄板状の部材で、複数の係合穴部６Ａが、リング部３Ａの長さ方向に一列に並んで形成される。リング部３Ａは、可撓性を有して弾性変形可能な例えば樹脂で構成されて、係合穴部６Ａが貫通して形成される。
【００２２】
係合穴部６Ａはリング係合部の一例で、図３（ｂ）に示すように、係合突起５Ａが嵌る円形状で、例えば等間隔に配置される。係合穴部６Ａの穴径は、係止部５ｈの直径より小さく構成される。
【００２３】
＜第１の実施の形態のバインダーの使用例＞
図４は第１の実施の形態のバインダー１Ａの使用例を示す構成図で、次に、図１〜図４を参照にして第１の実施の形態のバインダー１Ａの使用例について説明する。ここで、図４（ａ）は綴じる用紙４の枚数が少ない場合、図４（ｂ）は綴じる用紙４の枚数が多い場合を示している。
【００２４】
まず、背部２Ａとリング部３Ａは分離した形態であり、リング部３Ａは例えば長尺状で任意の長さを有している。リング部３Ａは、綴じる用紙４の枚数に応じてカットして使用される。リング部３Ａは、例えば綴じる用紙４の枚数が少ない場合は短くカットされ、綴じる用紙４の枚数が多い場合は長くカットされる。
【００２５】
綴じる用紙４の枚数に応じて所望の長さにカットされたリング部３Ａは、積層された用紙４の綴じ穴４ａに通される。そして、リング部３Ａの一端側の係合穴部６Ａ（１）が、背部２Ａの所定の位置の係合突起５Ａに嵌められる。
【００２６】
リング部３Ａの係合穴部６Ａを背部２Ａの係合突起５Ａに嵌める際は、背部２Ａ及びリング部３Ａが可撓性を有する材質で構成されているので、リング部３Ａの係合穴部６Ａを背部２Ａの係合突起５Ａの導入部５ｉに押し込むと、係合突起５Ａの導入部５ｉのテーパ形状に沿って係合穴部６Ａが徐々に押し広げられる。これにより、リング部３Ａは係合穴部６Ａの周囲が弾性変形して撓み、係合突起５Ａの係止部５ｈを乗り越える。リング部３Ａは、係合穴部６Ａが係合突起５Ａの係止部５ｈを乗り越えると、係合穴部６Ａの周囲の形状が復元する。
【００２７】
リング部３Ａの係合穴部６Ａの穴径は、上述したように、係合突起５Ａの係止部５ｈの直径より小さいので、係合穴部６Ａが係合突起５Ａに嵌ると、係合突起５Ａの係止部５ｈが抜け止めとなって、リング部３Ａは背部２Ａに保持される。
【００２８】
リング部３Ａの一端側の係合穴部６Ａ（１）を背部２Ａの係合突起５Ａに嵌めると、リング部３Ａをループ状に撓ませて、リング部３Ａの他端側の係合穴部６Ａ（２）が、一端側の係合穴部６Ａ（１）と同じ係合突起５Ａに嵌められる。
【００２９】
係合突起５Ａのリング部３Ａが嵌る部分の高さは、リング部３Ａの２枚分の厚さと略同等であるので、リング部３Ａの一端側の係合穴部６Ａ（１）を背部２Ａの係合突起５Ａに嵌め、同じ係合突起５Ａに同じリング部３Ａの他端側の係合穴部６Ａ（２）を嵌めると、リング部３Ａは、端部同士が重なって１本の係合突起５Ａに嵌められる。
【００３０】
そして、リング部３Ａがループ状になって、複数枚の用紙４が開ける状態で綴じられる。なお、用紙４には複数の綴じ穴４ａが開けられているので、全ての綴じ穴４ａ、あるいは必要に応じて選択された任意の綴じ穴４ａに対してリング部３Ａを通し、上述したように、リング部３Ａの端部同士を重ねた形態で係合穴部６Ａを係合突起５Ａに嵌めて、ループ状のリング部３Ａを構成する。
【００３１】
ここで、背部２Ａの係合突起５Ａは、用紙４の綴じ穴４ａの間隔に合わせて配置されているので、全ての綴じ穴４ａに対応させてリング部３Ａを取り付けることが可能であるとともに、任意の綴じ穴４ａに対応させてリング部３Ａを取り付けることも可能である。
【００３２】
さて、綴じる用紙４の枚数が少ない場合は、リング部３Ａのループ径は小さくて良い。このため、例えば長尺状のリング部３Ａを短くカットして使用することで、図４（ａ）に示すように、ループ径の小さなリング部３Ａを形成することができる。これに対して、綴じる用紙４の枚数が多い場合は、リング部３Ａのループ径を大きくする必要がある。このため、リング部３Ａを長くカットして使用することで、図４（ｂ）に示すように、ループ径の大きなリング部３Ａを形成することができる。
【００３３】
これにより、綴じる用紙４の枚数に応じてリング部３Ａをカットして使用することで、１種類のリング部３Ａで、用紙４の綴じる枚数の違いに対応できる。また、背部２Ａはリング部３Ａとは独立した部品であるので、綴じる用紙４のサイズが同じであれば、１種類の背部２Ａで、用紙４の綴じる枚数の違いに対応できる。
【００３４】
更に、背部２Ａもまた、綴じる用紙４のサイズに合わせてカットして使用することとすれば、複数種類の異なるサイズの用紙４（Ａ４，Ｂ５等）に対応できる。
【００３５】
従って、綴じる用紙４の枚数等の違いに対応して複数種類の部品を用意する必要がなく、コストを抑えることができると共に、消耗品の在庫管理等も容易となる。
【００３６】
なお、第１の実施の形態のバインダー１Ａでは、係合突起５Ａ及び係合穴部６Ａの形状を円形としたが、他の形状でも良く、例えば四角形でも良い。また、係合穴部６Ａの間隔は等間隔でなくても良く、複数種類のループ径を選択できれば、例えばデザイン等を考慮した間隔で配置しても良い。
【００３７】
また、第１の実施の形態のバインダー１Ａでは、２穴、３穴もしくは４穴等で綴じ穴４ａが予め開けられている形態の用紙４に対応して、背部２Ａは、複数の係合突起５Ａの中の何れかが、２穴、３穴もしくは４穴で綴じ穴４ａが予め開けられている用紙４の綴じ穴４ａの配置に合わせて形成されていると良い。
【００３８】
バインダー１Ａでは、背部２Ａとリング部３Ａが独立した部品であるので、上述したように係合突起５Ａを配置することで、３０穴等の多穴の用紙でも、２穴、３穴あるいは４穴等の用紙でも、１種類の背部２Ａを用いてバインダー１Ａを構成することができる。
【００３９】
＜第２の実施の形態のバインダーの構成例＞
図５は第２の実施の形態のバインダー１Ｂを組み立てた状態の一例を示す斜視図、図６は第２の実施の形態のバインダー１Ｂの使用状態の一例を示す平面図、図７は第２の実施の形態のバインダー１Ｂの使用前の状態の一例を示す分解構成図である。ここで、第２の実施の形態のバインダー１Ｂにおいて、第１の実施の形態のバインダー１Ａと同じ構成の部品については、同じ番号を付して説明する。
【００４０】
第２の実施の形態のバインダー１Ｂは、係合突起及び係合穴部の変形例を示し、バインダー１Ｂは、係合突起５Ｂが形成される背部２Ｂと、係合穴部６Ｂが形成されるリング部３Ｂを備える。
【００４１】
背部２Ｂは、幅の狭い薄板状の部材で、綴じる対象の用紙４の長さに応じた長さを有する。係合突起５Ｂは、用紙４の綴じ穴４ａの間隔に合わせて、背部２Ｂの長さ方向に一列に並んで配置される。背部２Ｂは、可撓性を有して弾性変形可能な例えば樹脂で構成され、係合突起５Ｂが一体に形成される。
【００４２】
係合突起５Ｂは、図７（ａ）に示すように、対になる２本の部材から構成され、係合突起５Ｂの横断面形状は、リング部３Ｂの係合穴部６Ｂの形状に合わせて、例えば、２本の部材から構成される係合突起５Ｂの間の空間を挟んだ四角形状である。また、係合突起５Ｂは、リング部３Ｂの抜け止めとなる係止部５ｊを備える。
【００４３】
係止部５ｊは、係合突起５Ｂの先端側の縦断面形状を例えば三角形状とし、係合突起５Ｂの先端側の一部が側面から突出して、リング部３Ｂの係合穴部６Ｂに引っ掛かる形状に構成される。また、係合突起５Ｂは、係止部５ｊの先端部分をテーパ状として導入部５ｋが形成される。
【００４４】
係合突起５Ｂは、係止部５ｊの形成位置の下端から背部２Ｂまでの間がリング部３Ｂが嵌る部分となるが、係合突起５Ｂにおいて、リング部３Ｂが嵌る部分の高さは、リング部３Ｂの厚さの２倍程度と略同等、もしくは若干大きく構成される。
【００４５】
リング部３Ｂは、図６（ａ）に示すように、用紙４の綴じ穴４ａに入る幅を有する薄板状の部材で、複数の係合穴部６Ｂが、リング部３Ｂの長さ方向に一列に並んで形成される。リング部３Ｂは、可撓性を有して弾性変形可能な例えば樹脂で構成されて、係合穴部６Ｂが貫通して形成される。
【００４６】
係合穴部６Ｂは、図７（ｂ）に示すように、係合突起５Ｂが嵌る四角形状で、例えば等間隔に配置される。係合穴部６Ｂのサイズは、係合突起５Ｂの係止部５ｊの形成位置のサイズより小さく構成される。
【００４７】
＜第２の実施の形態のバインダーの使用例＞
図８は第２の実施の形態のバインダー１Ｂの使用例を示す構成図で、次に、図５〜図８を参照にして第２の実施の形態のバインダー１Ｂの使用例について説明する。ここで、図８（ａ）は綴じる用紙４の枚数が少ない場合、図８（ｂ）は綴じる用紙４の枚数が多い場合を示している。
【００４８】
まず、背部２Ｂとリング部３Ｂは分離した形態であり、リング部３Ｂは例えば長尺状で任意の長さを有している。リング部３Ｂは、綴じる用紙４の枚数に応じてカットして使用される。リング部３Ｂは、例えば綴じる用紙４の枚数が少ない場合は短くカットされ、綴じる用紙４の枚数が多い場合は長くカットされる。
【００４９】
綴じる用紙４の枚数に応じて所望の長さにカットされたリング部３Ｂは、積層された用紙４の綴じ穴４ａに通される。そして、リング部３Ｂの一端側の係合穴部６Ｂ（１）が、背部２Ｂの所定の位置の係合突起５Ｂに嵌められる。
【００５０】
リング部３Ｂの係合穴部６Ｂを背部２Ｂの係合突起５Ｂに嵌める際は、背部２Ｂ及びリング部３Ｂが可撓性を有して弾性変形可能な材質で構成されているので、リング部３Ｂの係合穴部６Ｂを背部２Ｂの係合突起５Ｂの導入部５ｋに押し込むと、係合突起５Ｂの導入部５ｋのテーパ形状に沿って、リング部３Ｂの係合穴部６Ｂが徐々に押し広げられる。また、リング部３Ｂの係合穴部６Ｂに押されて係合突起５Ｂが内側に向けて撓む。
【００５１】
これにより、リング部３Ｂは、係合穴部６Ｂが係合突起５Ｂの係止部５ｊを乗り越える。背部２Ｂは、係合突起５Ｂの係止部５ｊをリング部３Ｂの係合穴部６Ｂが乗り越えると、係合突起５Ｂの形状が復元する。また、リング部３Ｂは、係合穴部６Ｂが係合突起５Ｂの係止部５ｊを乗り越えると、係合穴部６Ｂの周囲の形状が復元する。
【００５２】
リング部３Ｂの係合穴部６Ｂのサイズは、上述したように、係合突起５Ｂの係止部５ｊのサイズより小さいので、係合穴部６Ｂが係合突起５Ｂに嵌ると、係合突起５Ｂの係止部５ｊが抜け止めとなって、リング部３Ｂは背部２Ｂに保持される。
【００５３】
リング部３Ｂの一端側の係合穴部６Ｂ（１）を背部２Ｂの係合突起５Ｂに嵌めると、リング部３Ｂをループ状に撓ませて、リング部３Ｂの他端側の係合穴部６Ｂ（２）が、一端側の係合穴部６Ｂ（１）と同じ係合突起５Ｂに嵌められる。
【００５４】
係合突起５Ｂのリング部３Ｂが嵌る部分の高さは、リング部３Ｂの２枚分の厚さと略同等であるので、リング部３Ｂの一端側の係合穴部６Ｂ（１）を背部２Ｂの係合突起５Ｂに嵌め、同じ係合突起５Ｂに同じリング部３Ｂの他端側の係合穴部６Ｂ（２）を嵌めると、リング部３Ｂは、端部同士が重なって１本の係合突起５Ｂに嵌められる。
【００５５】
そして、リング部３Ｂがループ状になって、複数枚の用紙４が開ける状態で綴じられる。なお、用紙４には複数の綴じ穴４ａが開けられているので、全ての綴じ穴４ａ、あるいは必要に応じて選択された任意の綴じ穴４ａに対してリング部３Ｂを通し、上述したように、リング部３Ｂの端部同士を重ねた形態で係合穴部６Ｂを係合突起５Ｂに嵌めて、ループ状のリング部３Ｂを構成する。
【００５６】
ここで、背部２Ｂの係合突起５Ｂは、用紙４の綴じ穴４ａの間隔に合わせて配置されているので、全ての綴じ穴４ａに対応させてリング部３Ｂを取り付けることが可能であるとともに、任意の綴じ穴４ａに対応させてリング部３Ｂを取り付けることも可能である。
【００５７】
さて、綴じる用紙４の枚数が少ない場合は、リング部３Ｂのループ径は小さくて良い。このため、例えば長尺状のリング部３Ｂを短くカットして使用することで、図８（ａ）に示すように、ループ径の小さなリング部３Ｂを形成することができる。これに対して、綴じる用紙４の枚数が多い場合は、リング部３Ｂのループ径を大きくする必要がある。このため、リング部３Ｂを長くカットして使用することで、図８（ｂ）に示すように、ループ径の大きなリング部３Ｂを形成することができる。
【００５８】
これにより、第１の実施の形態のバインダーと同様に、綴じる用紙４の枚数に応じてリング部３Ｂをカットして使用することで、１種類のリング部３Ｂで、用紙４の綴じる枚数の違いに対応できる。また、背部２Ｂはリング部３Ｂとは独立した部品であるので、綴じる用紙４のサイズが同じであれば、１種類の背部２Ｂで、用紙４の綴じる枚数の違いに対応できる。
【００５９】
更に、背部２Ｂもまた、綴じる用紙４のサイズに合わせてカットして使用することとすれば、複数種類の異なるサイズの用紙４（Ａ４，Ｂ５等）に対応できる。
【００６０】
従って、綴じる用紙４の枚数等の違いに対応して複数種類の部品を用意する必要がなく、コストを抑えることができると共に、消耗品の在庫管理等も容易となる。
【００６１】
＜第３の実施の形態のバインダーの構成例＞
図９は第３の実施の形態のバインダー１Ｃを組み立てた状態の一例を示す斜視図、図１０は第３の実施の形態のバインダー１Ｃの使用状態の一例を示す平面図、図１１は第３の実施の形態のバインダー１Ｃの使用前の状態の一例を示す分解構成図である。ここで、第３の実施の形態のバインダー１Ｃにおいて、第１の実施の形態のバインダー１Ａと同じ構成の部品については、同じ番号を付して説明する。
【００６２】
第３の実施の形態のバインダー１Ｃは、リング部３Ａが嵌る係合突起を二列に配置した背部２Ｃを備える。すなわち、背部２Ｃは、用紙４の綴じ穴４ａに合わせた間隔で長さ方向に一列に並んだ第１列の係合突起５ＣＬと、第１列の係合突起５ＣＬと同じ間隔で、第１列の係合突起５ＣＬと平行に並んだ第２列の係合突起５ＣＲを備える。
【００６３】
第１列の係合突起５ＣＬと第２列の係合突起５ＣＲの形状は、共に第１の実施の形態のバインダー１Ａで説明した係合突起５Ａと同じで良い。この場合は、リング部３Ａは、第１の実施の形態のバインダー１Ａのリング部と同じで良い。
【００６４】
但し、係合突起５ＣＬ，５ＣＲのリング部３Ａが嵌る部分の高さは、リング部３Ａの厚さと同等程度でも良い。
【００６５】
なお、係合突起５ＣＬ，５ＣＲの形状は、第２の実施の形態のバインダー１Ｂで説明した係合突起５Ｂと同じでも良く、この場合は、リング部は第２の実施の形態のリング部３Ｂと同じでよい。
【００６６】
＜第３の実施の形態のバインダーの使用例＞
図１２は第３の実施の形態のバインダー１Ｃの使用例を示す構成図で、次に、図９〜図１２を参照にして第３の実施の形態のバインダー１Ｃの使用例について説明する。ここで、図１２（ａ）は綴じる用紙４の枚数が少ない場合、図１２（ｂ）は綴じる用紙４の枚数が多い場合を示している。
【００６７】
まず、背部２Ｃとリング部３Ａは分離した形態であり、リング部３Ａは例えば長尺状で任意の長さを有している。リング部３Ａは、綴じる用紙４の枚数に応じてカットして使用される。リング部３Ａは、例えば綴じる用紙４の枚数が少ない場合は短くカットされ、綴じる用紙４の枚数が多い場合は長くカットされる。
【００６８】
綴じる用紙４の枚数に応じて所望の長さにカットされたリング部３Ａは、積層された用紙４の綴じ穴４ａに通される。そして、リング部３Ａの一端側の係合穴部６Ａ（１）が、背部２Ｃの第１列の所定の位置の係合突起５ＣＬに嵌められる。
【００６９】
リング部３Ａの係合穴部６Ａを背部２Ｃの係合突起５ＣＬに嵌めると、第１の実施の形態のバインダー１Ａの使用例と同様に、リング部３Ａは、係合突起５ＣＬの導入部５ｉのテーパ形状に沿って係合穴部６Ａが徐々に押し広げられ、係合突起５ＣＬの係止部５ｈを乗り越える。リング部３Ａは、係合穴部６Ａが係合突起５ＣＬの係止部５ｈを乗り越えると、係合穴部６Ａの周囲の形状が復元する。
【００７０】
リング部３Ａの係合穴部６Ａの穴径は、係合突起５ＣＬの係止部５ｈの直径より小さいので、係合穴部６Ａが係合突起５ＣＬに嵌ると、係合突起５ＣＬの係止部５ｈが抜け止めとなって、リング部３Ａは背部２Ｃに保持される。
【００７１】
リング部３Ａの一端側の係合穴部６Ａ（１）を背部２Ｃの第１列の係合突起５ＣＬに嵌めると、リング部３Ａをループ状に撓ませて、リング部３Ａの他端側の係合穴部６Ａ（２）が、一端側の係合穴部６Ａ（１）を嵌めた第１列の係合突起５ＣＬの隣りに位置する第２列の係合突起５ＣＲに嵌められる。なお、第２列の係合突起５ＣＲに係合穴部６Ａ（２）を嵌める動作は、係合突起５ＣＬに係合穴部６Ａ（１）を嵌める動作と同じである。
【００７２】
これにより、リング部３Ａは、端部同士が重なることなく、端部同士の端面が対向する形態で背部２Ｃに保持され、リング部３Ａがループ状になって、複数枚の用紙４が開ける状態で綴じられる。
【００７３】
なお、用紙４には複数の綴じ穴４ａが開けられているので、全ての綴じ穴４ａ、あるいは必要に応じて選択された任意の綴じ穴４ａに対してリング部３Ａを通し、上述したように、リング部３Ａの一端側の係合穴部６Ａ（１）は第１列の係合突起５ＣＬに嵌め、他端側の係合穴部６Ａ（２）は第２列の係合突起５ＣＲに嵌めて、ループ状のリング部３Ａを構成する。
【００７４】
ここで、背部２Ｃの係合突起５ＣＬ，５ＣＲは、用紙４の綴じ穴４ａの間隔に合わせて配置されているので、全ての綴じ穴４ａに対応させてリング部３Ａを取り付けることが可能であるとともに、任意の綴じ穴４ａに対応させてリング部３Ａを取り付けることも可能である。
【００７５】
さて、綴じる用紙４の枚数が少ない場合は、リング部３Ａのループ径は小さくて良い。このため、例えば長尺状のリング部３Ａを短くカットして使用することで、図１２（ａ）に示すように、ループ径の小さなリング部３Ａを形成することができる。これに対して、綴じる用紙４の枚数が多い場合は、リング部３Ａのループ径を大きくする必要がある。このため、リング部３Ａを長くカットして使用することで、図１２（ｂ）に示すように、ループ径の大きなリング部３Ａを形成することができる。
【００７６】
これにより、第１の実施の形態のバインダーと同様に、綴じる用紙４の枚数に応じてリング部３Ａをカットして使用することで、１種類のリング部３Ａで、用紙４の綴じる枚数の違いに対応できる。また、背部２Ｃはリング部３Ａとは独立した部品であるので、綴じる用紙４のサイズが同じであれば、１種類の背部２Ｃで、用紙４の綴じる枚数の違いに対応できる。
【００７７】
更に、背部２Ｃもまた、綴じる用紙４のサイズに合わせてカットして使用することとすれば、複数種類の異なるサイズの用紙４（Ａ４，Ｂ５等）に対応できる。
【００７８】
また、背部２Ｃにおいて係合突起５Ｃを２列に配置することで、リング部３Ａの端部同士が重ならない形態で、リング部３Ａをループ状にできるので、ループの形状に歪みが生じにくく、特に、図１２（ａ）に示すようにループ径が小さい場合でも歪みが生じにくくなり、外観性が向上すると共に、ページ捲りが行いやすくなる。
【００７９】
なお、第３の実施の形態のバインダー１Ｃでは、係合突起５ＣＬ，５ＣＲ及び係合穴部６Ａの形状を円形としたが、他の形状でも良く、例えば四角形でも良い。
【００８０】
＜第４の実施の形態のバインダーの構成例＞
図１３は第４の実施の形態のバインダー１Ｄを組み立てた状態の一例を示す斜視図、図１４は第４の実施の形態のバインダー１Ｄの使用状態の一例を示す平面図、図１５は第４の実施の形態のバインダー１Ｄの使用前の状態の一例を示す分解構成図である。
【００８１】
第４の実施の形態のバインダー１Ｄは、背部２Ｄとリング部３Ｄを備える。背部２Ｄは、幅の狭い薄板状の部材で、綴じる対象の用紙４の長さに応じた長さを有し、用紙４の綴じ穴４ａに合わせた間隔で長さ方向に一列に並んだ第１列の係合穴部７Ｌと、第１列の係合穴部７Ｌと同じ間隔で、第１列の係合穴部７Ｌと平行に並んだ第２列の係合穴部７Ｒを備える。背部２Ｄは、可撓性を有して弾性変形可能な例えば樹脂で構成され、係合穴部７Ｌ，７Ｒが凹状に形成される。
【００８２】
係合穴部７Ｌ，７Ｒは背部係合部の一例で、リング部３Ｄに形成された係合突起８の形状に合わせて、横断面形状が例えば円形状の穴部である。
【００８３】
リング部３Ｄは、図１４（ａ）に示すように、用紙４の綴じ穴４ａに入る幅を有する薄板状の部材で、複数の係合突起８が、リング部３Ｄの長さ方向に一列に並んで形成される。リング部３Ｄは、可撓性を有して弾性変形可能な例えば樹脂で構成されて、係合突起８が一体に形成される。
【００８４】
係合突起８はリング係合部の一例で、図１５（ｂ）に示すように、背部２Ｄの係合穴部７Ｌ，７Ｒに嵌る円筒形状で、例えば等間隔に配置される。係合突起８の直径は、係合穴部７Ｌ，７Ｒの直径より若干大きく構成され、係合突起８が係合穴部７Ｌ，７Ｒに圧入されて保持される構成である。
【００８５】
＜第４の実施の形態のバインダーの使用例＞
図１６は第４の実施の形態のバインダー１Ｄの使用例を示す構成図で、次に、図１３〜図１６を参照にして第４の実施の形態のバインダー１Ｄの使用例について説明する。ここで、図１６（ａ）は綴じる用紙４の枚数が少ない場合、図１６（ｂ）は綴じる用紙４の枚数が多い場合を示している。
【００８６】
まず、背部２Ｄとリング部３Ｄは分離した形態であり、リング部３Ｄは例えば長尺状で任意の長さを有している。リング部３Ｄは、綴じる用紙４の枚数に応じてカットして使用される。リング部３Ｄは、例えば綴じる用紙４の枚数が少ない場合は短くカットされ、綴じる用紙４の枚数が多い場合は長くカットされる。
【００８７】
綴じる用紙４の枚数に応じて所望の長さにカットされたリング部３Ｄは、積層された用紙４の綴じ穴４ａに通される。そして、リング部３Ｄの一端側の係合突起８（１）が、背部２Ｄの第１列の所定の位置の係合穴部７Ｌに圧入される。
【００８８】
リング部３Ｄの係合突起８を背部２Ｄの係合穴部７Ｌに圧入すると、リング部３Ｄはその一端側が背部２Ｄに保持される。
【００８９】
リング部３Ｄの一端側の係合突起８（１）を背部２Ｄの第１列の係合穴部７Ｌに圧入すると、リング部３Ｄをループ状に撓ませて、リング部３Ｄの他端側の係合突起８（２）が、一端側の係合突起８（１）を嵌めた第１列の係合穴部７Ｌの隣りに位置する第２列の係合穴部７Ｒに圧入される。
【００９０】
これにより、リング部３Ｄは、端部同士が重なることなく、端部同士の端面が対向する形態で背部２Ｄに保持され、リング部３Ｄがループ状になって、複数枚の用紙４が開ける状態で綴じられる。
【００９１】
なお、用紙４には複数の綴じ穴４ａが開けられているので、全ての綴じ穴４ａ、あるいは必要に応じて選択された任意の綴じ穴４ａに対してリング部３Ｄを通し、上述したように、リング部３Ｄの一端側の係合突起８（１）は第１列の係合穴部７Ｌに嵌め、他端側の係合突起８（２）は第２列の係合穴部７Ｒに嵌めて、ループ状のリング部３Ｄを構成する。
【００９２】
ここで、背部２Ｄの係合穴部７Ｌ，７Ｒは、用紙４の綴じ穴４ａの間隔に合わせて配置されているので、全ての綴じ穴４ａに対応させてリング部３Ｄを取り付けることが可能であるとともに、任意の綴じ穴４ａに対応させてリング部３Ｄを取り付けることも可能である。
【００９３】
さて、綴じる用紙４の枚数が少ない場合は、リング部３Ｄのループ径は小さくて良い。このため、例えば長尺状のリング部３Ｄを短くカットして使用することで、図１６（ａ）に示すように、ループ径の小さなリング部３Ｄを形成することができる。これに対して、綴じる用紙４の枚数が多い場合は、リング部３Ｄのループ径を大きくする必要がある。このため、リング部３Ｄを長くカットして使用することで、図１６（ｂ）に示すように、ループ径の大きなリング部３Ｄを形成することができる。
【００９４】
これにより、第１の実施の形態のバインダーと同様に、綴じる用紙４の枚数に応じてリング部３Ｄをカットして使用することで、１種類のリング部３Ｄで、用紙４の綴じる枚数の違いに対応できる。また、背部２Ｄはリング部３Ｄとは独立した部品であるので、綴じる用紙４のサイズが同じであれば、１種類の背部２Ｄで、用紙４の綴じる枚数の違いに対応できる。
【００９５】
更に、背部２Ｄもまた、綴じる用紙４のサイズに合わせてカットして使用することとすれば、複数種類の異なるサイズの用紙４（Ａ４，Ｂ５等）に対応できる。
【００９６】
また、背部２Ｄにおいて係合穴部７を２列に配置することで、リング部３Ｄの端部同士が重ならない形態で、リング部３Ｄをループ状にできるので、ループの形状に歪みが生じにくく、特に、図１６（ａ）に示すようにループ径が小さい場合でも歪みが生じにくくなり、外観性が向上すると共に、ページ捲りが行いやすくなる。
【００９７】
なお、第４の実施の形態のバインダー１Ｄでは、係合穴部７Ｌ，７Ｒ及び係合突起８の形状を円形としたが、他の形状でも良く、例えば四角形でも良い。
【００９８】
＜第５の実施の形態のバインダーの構成例＞
図１７は第５の実施の形態のバインダー１Ｅを組み立てた状態の一例を示す斜視図、図１８は第５の実施の形態のバインダー１Ｅの使用状態の一例を示す平面図、図１９は第５の実施の形態のバインダー１Ｅの使用前の状態の一例を示す分解構成図である。ここで、第５の実施の形態のバインダー１Ｅにおいて、第１の実施の形態のバインダー１Ａと同じ構成の部品については、同じ番号を付して説明する。
【００９９】
第５の実施の形態のバインダー１Ｅは、背部２Ｅとリング部３Ｅを備える。背部２Ｅは、幅の狭い薄板状の部材で、綴じる対象の用紙４の長さに応じた長さを有し、用紙４の綴じ穴４ａに合わせた間隔で長さ方向に一列に並んだ係合突起５と、係合突起５と同じ間隔で、係合突起５と平行に並んだ係合穴部６を備える。背部２Ｅは、可撓性を有して弾性変形可能な例えば樹脂で構成され、係合突起５が一体に形成される。
【０１００】
ここで、背部２Ｅに形成される係合突起５の形状は、第１の実施の形態のバインダー１Ａで説明した背部２Ａに形成される係合突起５Ａと同じでよい。但し、係合突起５のリング部３Ｅが嵌る部分の高さは、リング部３Ｅの厚さと同等程度でも良い。
【０１０１】
また、背部２Ｅに形成される係合穴部６の形状は、第１の実施の形態のバインダー１Ａで説明したリング部３Ａに形成される係合穴部６Ａと同じで良い。
【０１０２】
リング部３Ｅは、図１８（ａ）に示すように、用紙４の綴じ穴４ａに入る幅を有する薄板状の部材で、複数の係合突起５と係合穴部６が、リング部３Ｅの長さ方向に一列に並んで例えば等間隔で交互に形成される。リング部３Ｅは、可撓性を有して弾性変形可能な例えば樹脂で構成されて、係合突起５が一体に形成される。
【０１０３】
ここで、リング部３Ｅに形成される係合穴部６の形状は、第１の実施の形態のバインダー１Ａで説明したリング部３Ａに形成される係合穴部６Ａと同じで良い。
【０１０４】
また、リング部３Ｅに形成される係合突起５の形状は、第１の実施の形態のバインダー１Ａで説明した背部２Ａに形成される係合突起５Ａと同じでよい。
【０１０５】
＜第５の実施の形態のバインダーの使用例＞
図２０は第５の実施の形態のバインダー１Ｅの使用例を示す構成図で、次に、図１７〜図２０を参照にして第５の実施の形態のバインダー１Ｅの使用例について説明する。ここで、図２０（ａ）は綴じる用紙４の枚数が少ない場合、図２０（ｂ）は綴じる用紙４の枚数が多い場合を示している。
【０１０６】
まず、背部２Ｅとリング部３Ｅは分離した形態であり、リング部３Ｅは例えば長尺状で任意の長さを有している。リング部３Ｅは、綴じる用紙４の枚数に応じてカットして使用される。リング部３Ａは、例えば綴じる用紙４の枚数が少ない場合は短くカットされ、綴じる用紙４の枚数が多い場合は長くカットされる。
【０１０７】
ここで、リング部３Ｅをカットする際には、一端側には例えば係合穴部６が配置され、他端側には係合突起５が配置される位置でカットを行う。
【０１０８】
綴じる用紙４の枚数に応じて所望の長さにカットされたリング部３Ｅは、積層された用紙４の綴じ穴４ａに通される。そして、リング部３Ｅの一端側の本例では係合穴部６が、背部２Ｅの所定の位置の係合突起５に嵌められる。
【０１０９】
リング部３Ｅの係合穴部６を背部２Ｅの係合突起５に嵌めると、第１の実施の形態のバインダー１Ａの使用例と同様に、リング部３Ｅは、係合穴部６が係合突起５の係止部５ｈを乗り越えて、リング部３Ｅの一端側が背部２Ｅに保持される。
【０１１０】
リング部３Ｅの一端側の係合穴部６を背部２Ｅの係合突起５に嵌めると、リング部３Ｅをループ状に撓ませて、リング部３Ｅの他端側の係合突起５が、一端側の係合穴部６を嵌めた係合突起５の隣りに位置する係合穴部６に嵌められる。なお、リング部３Ｅの係合突起５を背部２Ｅの係合穴部６に嵌める動作は、リング部３Ｅの係合穴部６を背部２Ｅの係合突起５に嵌める動作と同じである。
【０１１１】
これにより、リング部３Ｅは、端部同士が重なることなく、端部同士の端面が対向する形態で背部２Ｅに保持され、リング部３Ｅがループ状になって、複数枚の用紙４が開ける状態で綴じられる。
【０１１２】
なお、用紙４には複数の綴じ穴４ａが開けられているので、全ての綴じ穴４ａ、あるいは必要に応じて選択された任意の綴じ穴４ａに対してリング部３Ｅを通し、上述したように、リング部３Ｅの一端側の係合穴部６は背部２Ｅの係合突起５に嵌め、他端側の係合突起５は背部２Ｅの係合穴部６に嵌めて、ループ状のリング部３Ｅを構成する。
【０１１３】
ここで、背部２Ｅの係合突起５，係合穴部６は、用紙４の綴じ穴４ａの間隔に合わせて配置されているので、全ての綴じ穴４ａに対応させてリング部３Ｅを取り付けることが可能であるとともに、任意の綴じ穴４ａに対応させてリング部３Ｅを取り付けることも可能である。
【０１１４】
さて、綴じる用紙４の枚数が少ない場合は、リング部３Ｅのループ径は小さくて良い。このため、例えば長尺状のリング部３Ｅを短くカットして使用することで、図２０（ａ）に示すように、ループ径の小さなリング部３Ｅを形成することができる。これに対して、綴じる用紙４の枚数が多い場合は、リング部３Ｅのループ径を大きくする必要がある。このため、リング部３Ｅを長くカットして使用することで、図２０（ｂ）に示すように、ループ径の大きなリング部３Ｅを形成することができる。
【０１１５】
これにより、第１の実施の形態のバインダーと同様に、綴じる用紙４の枚数に応じてリング部３Ｅをカットして使用することで、１種類のリング部３Ｅで、用紙４の綴じる枚数の違いに対応できる。また、背部２Ｅはリング部３Ｅとは独立した部品であるので、綴じる用紙４のサイズが同じであれば、１種類の背部２Ｅで、用紙４の綴じる枚数の違いに対応できる。
【０１１６】
更に、背部２Ｅもまた、綴じる用紙４のサイズに合わせてカットして使用することとすれば、複数種類の異なるサイズの用紙４（Ａ４，Ｂ５等）に対応できる。
【０１１７】
また、背部２Ｅにおいて係合突起５と係合穴部６を配置することで、リング部３Ｅの端部同士が重ならない形態で、リング部３Ｅをループ状にできるので、ループの形状に歪みが生じにくく、特に、図２０（ａ）に示すようにループ径が小さい場合でも歪みが生じにくくなり、外観性が向上すると共に、ページ捲りが行いやすくなる。
【０１１８】
なお、第５の実施の形態のバインダー１Ｅでは、係合突起５及び係合穴部６の形状を円形としたが、他の形状でも良く、例えば四角形でも良い。
【０１１９】
図２１は本発明のバインダーの製造工程の一例を示す説明図で、第１の実施の形態のバインダー１Ａを例に製造工程例を説明する。
【０１２０】
まず、リング部３Ａは、図２１（ａ）に示すように、長尺状につながり、例えばロール状に丸めたリング部供給体１１として構成される。用紙４は、綴じ穴４ａの向きを合わせ、所定の枚数を重ねてセットされる。
【０１２１】
リング部供給体１１から繰り出されたリング部３Ａは、用紙４の綴じ穴４ａに挿入され、図２１（ｂ）に示すように、用紙４の枚数等に応じた長さで、カッター１２によりカットされる。
【０１２２】
そして、所定の長さにカットされたリング部３Ａは、ループ状に撓ませて、図３（ｂ）に示す一端側の係合穴部６Ａ（１）と他端側の係合穴部６Ａ（２）が重ねられ、図２１（ｃ）に示すように、係合突起５Ａに嵌められる。
【０１２３】
これにより、用紙４の枚数に応じたループ径を持つリング部３Ａを背部２Ａに取り付けて複数枚の用紙４を綴じて、冊子を構成することができる。
【産業上の利用可能性】
【０１２４】
本発明は、綴じ穴が開けられた用紙を綴じる多穴バインダーに適用される。
【図面の簡単な説明】
【０１２５】
【図１】第１の実施の形態のバインダーを組み立てた状態の一例を示す斜視図である。
【図２】第１の実施の形態のバインダーの使用状態の一例を示す平面図である。
【図３】第１の実施の形態のバインダーの使用前の状態の一例を示す分解構成図である。
【図４】第１の実施の形態のバインダーの使用例を示す構成図である。
【図５】第２の実施の形態のバインダーを組み立てた状態の一例を示す斜視図である。
【図６】第２の実施の形態のバインダーの使用状態の一例を示す平面図である。
【図７】第２の実施の形態のバインダーの使用前の状態の一例を示す分解構成図である。
【図８】第２の実施の形態のバインダーの使用例を示す構成図である。
【図９】第３の実施の形態のバインダーを組み立てた状態の一例を示す斜視図である。
【図１０】第３の実施の形態のバインダーの使用状態の一例を示す平面図である。
【図１１】第３の実施の形態のバインダーの使用前の状態の一例を示す分解構成図である。
【図１２】第３の実施の形態のバインダーの使用例を示す構成図である。
【図１３】第４の実施の形態のバインダーを組み立てた状態の一例を示す斜視図である。
【図１４】第４の実施の形態のバインダーの使用状態の一例を示す平面図である。
【図１５】第４の実施の形態のバインダーの使用前の状態の一例を示す分解構成図である。
【図１６】第４の実施の形態のバインダーの使用例を示す構成図である。
【図１７】第５の実施の形態のバインダーを組み立てた状態の一例を示す斜視図である。
【図１８】第５の実施の形態のバインダーの使用状態の一例を示す平面図である。
【図１９】第５の実施の形態のバインダーの使用前の状態の一例を示す分解構成図である。
【図２０】第５の実施の形態のバインダーの使用例を示す構成図である。
【図２１】本発明のバインダーの製造工程の一例を示す説明図である。
【符号の説明】
【０１２６】
１Ａ，１Ｂ，１Ｃ，１Ｄ，１Ｅ・・・バインダー、２Ａ，２Ｂ，２Ｃ，２Ｄ，２Ｅ・・・背部、３Ａ，３Ｂ，３Ｄ，３Ｅ・・・リング部、４・・・用紙、４ａ・・・綴じ穴、５Ａ，５Ｂ，５ＣＬ，５ＣＲ，８，５・・・係合突起、６Ａ，６Ｂ，７Ｌ，７Ｒ，６・・・係合穴部
【図１】
2006315257.tif 000003
【図２】
2006315257.tif 000004
【図３】
2006315257.tif 000005
【図４】
2006315257.tif 000006
【図５】
2006315257.tif 000007
【図６】
2006315257.tif 000008
【図７】
2006315257.tif 000009
【図８】
2006315257.tif 000010
【図９】
2006315257.tif 000011
【図１０】
2006315257.tif 000012
【図１１】
2006315257.tif 000013
【図１２】
2006315257.tif 000014
【図１３】
2006315257.tif 000015
【図１４】
2006315257.tif 000016
【図１５】
2006315257.tif 000017
【図１６】
2006315257.tif 000018
【図１７】
2006315257.tif 000019
【図１８】
2006315257.tif 000020
【図１９】
2006315257.tif 000021
【図２０】
2006315257.tif 000022
【図２１】
2006315257.tif 000023